(57)【要約】【課題】  マンホールブロックの接合端部同士の上下方向での連結強度を低下させずに横揺れに伴う振動エネルギーを吸収できるようにして、マンホール内の圧力上昇によるマンホールブロックの浮上を防止できるだけでなく、横揺れ時におけるマンホールブロックの破損を有効に防止できるようにする。【解決手段】  本発明は、下位のマンホールブロック２Ｌと、このブロック２Ｌの上端面に突き合わせ状に積み上げられる上位のマンホールブロック２Ｕの接合端部同士を互いに連結するためのマンホールブロックの連結装置であって、外力に対して上下方向よりも水平方向に大きく変形することによって各マンホールブロック２Ｌ，２Ｕに作用する衝撃を和らげる衝撃吸収機能を備えている。【選択図】      図３
2005155054.tif 000002
【特許請求の範囲】
【請求項１】
下位のマンホールブロック（２Ｌ）と、このブロック（２Ｌ）の上端面に突き合わせ状に積み上げられる上位のマンホールブロック（２Ｕ）の接合端部同士を互いに連結するためのマンホールブロックの連結装置において、
外力に対して上下方向よりも水平方向に大きく変形することによって前記各マンホールブロック（２Ｌ，２Ｕ）に作用する衝撃を和らげる衝撃吸収機能を備えていることを特徴とするマンホールブロックの連結装置。
【請求項２】
上位のマンホールブロック（２Ｕ）の下端部外周面に固定される上ブラケット（１１）と、下位のマンホールブロック（２Ｌ）の上端部外周面に固定される下ブラケット（１２）と、それらの上下ブラケット（１１，１２）同士を互いに連結する上下方向及び水平方向に弾性変形自在な連結部材（１３）とを備えている請求項１に記載のマンホールブロックの連結装置。
【請求項３】
連結部材（１３）は、上ブラケット（１１）と下ブラケット（１２）の間に介在された連結フレーム（２０）と、このフレーム（２０）の上枠部（２１）を前記上ブラケット（１１）に形成された径外方向に突出する突出板（１５）に対して圧縮ゴム（２２）を介してボルト締結している上締結部材（２３）と、同フレーム（２０）の下枠部（２４）を前記下ブラケット（１２）に形成された径外方向に突出する突出板（１５）に対して圧縮ゴム（２５）を介してボルト締結している下締結部材（２６）とを備えている請求項２に記載のマンホールブロックの連結装置。
【請求項４】
連結部材（１３）は、上ブラケット（１１）と下ブラケット（１２）の間に介在されたゴム製の連結支柱（３６）と、この連結支柱（３６）の上端部を前記上ブラケット（１１）に形成された径外方向に突出する突出板（１５）に対してボルト締結している上締結部材（３７）と、同連結支柱（３６）の下端部を前記下ブラケット（１２）に形成された径外方向に突出する突出板（１５）に対してボルト締結している下締結部材（３８）とを備えている請求項２に記載のマンホールブロックの連結装置。
【請求項５】
抜け止め状態で差し込み可能な雄側部材（４４）と雌側部材（４５）を有するワンタッチジョイント（４６）よりなり、その雄側部材（４４）及び雌側部材（４５）が上位及び下位の各マンホールブロック（２Ｕ，２Ｌ）の接合端部にそれぞれ埋設されているとともに、その雄側部材（４４）又は雌側部材（４５）のうちのいずれか一方が前記マンホールブロック（２Ｕ，２Ｌ）内の鉄筋（４７）に対して上下方向に移動不能でかつ水平方向に移動可能となるように係止されている請求項１に記載のマンホールブロックの連結装置。
【請求項６】
地中に積み上げたれた複数のマンホールブロック（２）と、これら各ブロック（２）の接合端部同士を互いに連結するための請求項１〜５のいずれかに記載の連結装置（３）と、最上位のマンホールブロック（２）の上端部に固定されたマンホール受け枠（４）と、このマンホール受け枠（４）に嵌め込まれたマンホール蓋（５）とを備えていることを特徴とする組み立てマンホール。
【発明の詳細な説明】
【技術分野】
【０００１】
本発明は、マンホールブロックの連結装置とこれを用いた組み立てマンホールに関するものである。
【背景技術】
【０００２】
従来より、地中の下水管やケーブル配線用の横孔に繋がる縦孔として組み立てマンホールが使用されている。かかる組み立てマンホールは、地中に積み上げたれた複数のマンホールブロックと、これら各ブロックの接合端部同士を互いに連結するための連結装置と、最上位のマンホールブロックの上端部に固定されたマンホール受け枠と、このマンホール受け枠に嵌め込まれたマンホール蓋とを備えている。このマンホール蓋は重量物であり、しかも、受け枠のテーパー内面に嵌合されているため、通常はがたついたり外れたりすることはないが、マンホール内に充満したガスや排水による圧力、或いは、部外者のいたずらによってマンホール蓋が受け枠から外れることがある。
【０００３】
このようにしてマンホール蓋が外れると、マンホール内に人や車両等が落下したり、横孔内のケーブルが損傷する事故に繋がるため、施解錠自在なロック装置をマンホール蓋に設けることによって自然に又は人為的にその蓋が開放されないようになっている。このため、計画を大きく上回る降雨のために下水道施設の流水処理能力以上の下水の流入が発生すると、マンホール内の水圧の上昇や管路内に滞留した被圧空気の急浮上による下方からの圧力によって、非常に大きな浮力がマンホールブロックやマンホール受け枠の接続部分に作用し、これにより、同受け枠やマンホール蓋が道路面から飛び出してしまうことがある。
【０００４】
そこで、マンホールブロックの浮上を防止するため、従来より、ブロック同士の接続部分を上下方向に移動しないように強固に緊結する連結装置が使用されている。このマンホールブロックの連結装置は、上下方向に長いほぼ長方形状に形成された金属製の緊結プレートよりなり、この緊結プレートの上部を上位のマンホールブロックの下端部外周面にボルト締結するとともに、同プレートの下部を下位のマンホールブロックの上端部外周面にボルト締結することにより、それら両ブロックが互いに連結されるようになっている（例えば、特許文献１及び２参照）。  
【０００５】
【特許文献１】特開２０００−１７０１８８号公報（図１及び図２）
【特許文献２】特開２０００−１１０１８７号公報（図５）
【発明の開示】
【発明が解決しようとする課題】
【０００６】
しかるに、上記従来のマンホールブロックの連結装置のように、緊結プレートをマンホールブロックの接続部分にボルト締結する手段では、ブロック同士の接続部分が上下方向だけでなく水平方向にもほぼ完全に緊結されることになる。このため、地震等に伴う横揺れが組み立てマンホールに作用すると、その揺れに伴う大きな水平荷重によってマンホールブロックにおける緊結プレートのボルト締結部分が却って破損し易くなることがあり、この点で横揺れ時におけるマンホールブロックの破損を有効に防止することができないという欠点がある。
【０００７】
本発明は、このような従来の問題点に鑑み、マンホールブロックの接合端部同士の上下方向での連結強度を低下させずに横揺れに伴う振動エネルギーを吸収できるようにして、マンホール内の圧力上昇によるマンホールブロックの浮上を防止できるだけでなく、横揺れ時におけるマンホールブロックの破損を有効に防止することができるマンホールブロックの連結装置とこれを用いた組み立てマンホールを提供することを目的とする。
【課題を解決するための手段】
【０００８】
上記の目的を達成すべく、本発明は次の技術的手段を講じた。
すなわち、本発明は、下位のマンホールブロックと、このブロックの上端面に突き合わせ状に積み上げられる上位のマンホールブロックの接合端部同士を互いに連結するためのマンホールブロックの連結装置において、外力に対して上下方向よりも水平方向に大きく変形することによって前記各マンホールブロックに作用する衝撃を和らげる衝撃吸収機能を備えていることを特徴としている。
【０００９】
本発明に係るマンホールブロックの連結装置によれば、外力に対して上下方向よりも水平方向に大きく変形することによって各マンホールブロックに作用する衝撃を和らげるようになっているので、マンホール内の圧力上昇に伴う浮力に対しては比較的変形が少なくほぼ緊結状態になっているとともに、横揺れに伴う水平荷重に対しては比較的大きく変形しその衝撃を吸収することができる。このため、当該連結装置によれば、マンホールブロックの接合端部同士の上下方向での連結強度を低下させることなく、横揺れに伴う振動エネルギーを吸収することができる。
【００１０】
上記した衝撃吸収機能を有する連結装置は、例えば、上位のマンホールブロックの下端部外周面に固定される上ブラケットと、下位のマンホールブロックの上端部外周面に固定される下ブラケットと、それらの上下ブラケット同士を互いに連結する上下方向及び水平方向に弾性変形自在な連結部材とから構成することができる。
上記連結部材は、例えば、上ブラケットと下ブラケットの間に介在された連結フレームと、このフレームの上枠部を前記上ブラケットに形成された径外方向に突出する突出板に対して圧縮ゴムを介してボルト締結している上締結部材と、同フレームの下枠部を前記下ブラケットに形成された径外方向に突出する突出板に対して圧縮ゴムを介してボルト締結している下締結部材とから構成することができる。
【００１１】
また、同連結部材は、上ブラケットと下ブラケットの間に介在されたゴム製の連結支柱と、この連結支柱の上端部を前記上ブラケットに形成された径外方向に突出する突出板に対してボルト締結している上締結部材と、同連結支柱の下端部を前記下ブラケットに形成された径外方向に突出する突出板に対してボルト締結している下締結部材とから構成することもできる。
また、前記した衝撃吸収機能を有する連結装置は、抜け止め状態で差し込み可能な雄側部材と雌側部材を有するワンタッチジョイントより構成することもできる。
【００１２】
この場合には、その雄側部材及び雌側部材を上位及び下位の各マンホールブロックの接合端部にそれぞれ埋設するとともに、その雄側部材又は雌側部材のうちのいずれか一方を前記マンホールブロック内の鉄筋に対して上下方向に移動不能でかつ水平方向に移動可能となるように係止することにより、外力に対して上下方向よりも水平方向に大きく変形することによって各マンホールブロックに作用する衝撃を和らげる衝撃吸収機能を付与することができる。
【発明の効果】
【００１３】
以上の通り、本発明によれば、マンホールブロックの接合端部同士の上下方向での連結強度を低下させずに、横揺れに伴う振動エネルギーを吸収することができるので、マンホール内の圧力上昇によるマンホールブロックの浮上を防止できるとともに、横揺れ時におけるマンホールブロックの破損を有効に防止することができる。
【発明を実施するための最良の形態】
【００１４】
以下、図面に基づいて、本発明の実施の形態を説明する。
図１〜図４は、本発明の第一実施形態を示している。
図１に示すように、本実施形態の組み立てマンホール１は、地中に埋設された下水設備として使用されるものであり、地中に積み上げたれたプレキャストコンクリート製の複数（図例では３段）のマンホールブロック２と、これら各ブロック２の接合端部同士を互いに連結するための連結装置３と、最上位のマンホールブロック２の上端部に固定された鋳鉄製のマンホール受け枠４と、このマンホール受け枠４に嵌め込まれた鋳鉄製のマンホール蓋５とを備えている。
【００１５】
最下位のマンホールブロック２の下端開口はプレキャストコンクリート製の底プレート６で閉塞されており、当該ブロック２の底部にはインバートコンクリート７が施工されている。また、この最下位のマンホールブロック２の側壁には、水平方向に対してやや傾斜した下水管８が図示しない可撓性継手を介して接続されている。なお、各マンホールブロック２の内周面には、作業者がマンホール内を昇降する際の足場となるステップ９が突設されている。
図１及び図２に示すように、上記連結装置３は、下位のマンホールブロック２Ｌと、このブロック２Ｌの上端面に突き合わせ状に積み上げられた上位のマンホールブロック２Ｕの接合端部同士を互いに連結するものであり、本実施形態では周方向に等間隔をおいて合計４箇所配置されている。
【００１６】
図３に示すように、本実施形態の連結装置３は、上位のマンホールブロック２Ｕの下端部外周面に固定される上ブラケット１１と、下位のマンホールブロック２Ｌの上端部外周面に固定される下ブラケット１２と、それらの上下ブラケット１１，１２同士を互いに連結する上下方向及び水平方向に弾性変形自在な連結部材１３とを備えている。このうち、上下の各ブラケット１１，１２は、側面視ほぼＬ字型の金具よりなり、マンホールブロック２の外周面にボルト締結される取付板１４と、この取付板１４の一端から径外方向に突出する突出板１５とから構成されている。
【００１７】
なお、上下の各ブラケット１１，１２の取付板１４にはボルト挿通孔１６が合計４つ形成されており、この各挿通孔１６に挿通した固定ボルト１７をマンホールブロック２の外周面に埋設されたアンカーナット１８に螺合することにより、各ブラケット１１，１２をマンホールブロック２に対してボルト締結するようになっている。また、上位のマンホールブロック２Ｕと下位のマンホールブロック２Ｌの接合面間には、水密性を確保するための湿式又は乾式のシール部材１９が介装されている。
【００１８】
上記連結部材１３は、上下両ブラケット１１，１２の突出板１５，１５間に介在された連結フレーム２０と、このフレーム２０の上枠部２１を上ブラケット１１の突出板１５に対して圧縮ゴム２２を介してボルト締結している上締結部材２３と、同フレーム２０の下枠部２４を下ブラケット１２の突出板１５に対して圧縮ゴム２５を介してボルト締結している下締結部材２６とを備えている。このうち、連結フレーム２０は、径方向外側から見てほぼ長方形の枠状に形成されており、長方形板状の上枠部２１及び下枠部２４と、これらの両端間を一体に連結する左右一対の長方形板状の側枠部２７，２７とから構成されている。
【００１９】
本実施形態の上締結部材２３は、上ブラケット１１の突出板１５とその下面に重合する上枠部２１を貫通する上締結ボルト２９と、このボルト２９の上端部に螺合する上締結ナット３０とからなる。この上締結ボルト２９の頭部は押圧板３１の中央部に挿通され、この押圧板３１と上枠部２１との間に円柱形状の前記圧縮ゴム２２が上締結ボルト２９に貫通された状態で介装されている。
また、本実施形態の下締結部材２６は、下ブラケット１２の突出板１５とその上面に重合する下枠部２４を貫通する下締結ボルト３２と、このボルト３２の下端部に螺合する下締結ナット３３とからなる。この下締結ボルト３２の頭部も押圧板３４の中央部に挿通され、この押圧板３４と下枠部２４との間に円柱形状の前記圧縮ゴム２５が下締結ボルト３２に貫通された状態で介装されている。
【００２０】
図４に示すように、連結フレーム２０の上枠部２１及び下枠部２４又は上下ブラケット１１，１２の突出板１５に形成されるボルト挿通孔は、若干の遊びを持った状態で締結ボルト２９，３２を挿通できる程度の内径を有しており、また、締結ナット３０，３３と突出板１５の間には球面座３５を介在させてある。このため、上下の各圧縮ゴム２２，２５は上下の各締結ボルト２９，３２に締め付けられた状態においても、水平方向に弾性変形可能となっている。
【００２１】
本実施形態の圧縮ゴム２２，２５の内部には、高張力繊維コードの織布よりなる補強シート２８が上下方向に積層状態として埋設されており、これにより、上下方向の圧縮変形よりも水平方向の弾性変形の方が起き易くなるように設定されている。
しかして、本実施形態の連結装置３では、外力に対して上下方向よりも水平方向に大きく変形することによって各マンホールブロック２に作用する衝撃を和らげる衝撃吸収機能を備えている。
【００２２】
上記構成に係るマンホールブロックの連結装置３によれば、圧縮ゴム２２，２５が上下方向の圧縮変形よりも水平方向の弾性変形の方が生起し易くなっているので、マンホール内の圧力上昇に伴う浮力に対しては比較的変形が少なくほぼ緊結状態になっているとともに、横揺れに伴う水平荷重に対しては比較的大きく変形しその衝撃を吸収することができる。このため、当該連結装置３によれば、マンホールブロック２の接合端部同士の上下方向での連結強度を低下させることなく、横揺れに伴う振動エネルギーを吸収することができる。
また、本実施形態の連結装置３では、マンホール内の圧力上昇に伴う浮力に対して圧縮変形によって対抗する圧縮ゴム２２，２５を採用しているので、その浮力に対して引っ張り変形する連結支柱３６を採用している後述の第二実施形態（図４）の場合に比べて当該浮力に対する抵抗力が大幅に大きくなり、マンホールブロック２の浮上防止対策により適合していると言える。
【００２３】
図５は、本発明の第二実施形態を示している。
図５に示すように、本実施形態の連結装置３が第一実施形態のそれと異なる点は前記連結部材１３の具体的構造の点にある。
すなわち、本実施形態の連結装置３では、連結部材１３が、上ブラケット１１の突出板１５と下ブラケット１２の突出板１５の間に介在されたゴム製の連結支柱３６と、この連結支柱３６の上端部を上ブラケット１１の突出板１５に対してボルト締結している上締結部材３７と、同連結支柱３６の下端部を下ブラケット１２の突出板１５に対してボルト締結している下締結部材３８とを備えている。
【００２４】
このうち、上締結部材３７は、円柱状の前記連結支柱３６の上端部に埋設された上締結ボルト３９と、このボルト３９の上端部に螺合する上締結ナット４０とから構成され、下締結部材３８は、円柱状の前記連結支柱３６の下端部に埋設された下締結ボルト４１と、このボルト４１の下端部に螺合する下締結ナット４２とから構成されている。
なお、図示していないが、本実施形態の連結支柱３６にも、高張力繊維コードの織布よりなる補強シートが埋設されており、これにより、上下方向の圧縮変形よりも水平方向の弾性変形の方が起き易くなるように設定されている。
【００２５】
しかして、本実施形態の連結装置３も、外力に対して上下方向よりも水平方向に大きく変形することによって各マンホールブロック２に作用する衝撃を和らげる衝撃吸収機能を備えている。
また、本実施形態の連結装置３では、マンホール内の圧力上昇に伴う浮力に対して引っ張り変形によって対抗する連結支柱３６を採用しているので、第一実施形態（図３）の場合に必要となる前記連結フレーム２０や押圧板３１，３４が不要であり、この分だけ部品点数が少なくなって製造コストを低減できるという利点がある。
【００２６】
図６は、本発明の第三実施形態を示している。
図６に示すように、本実施形態の連結装置３は、抜け止め状態で差し込み可能な雄側部材４４と雌側部材４５を有するワンタッチジョイント４６より構成されている。このうち、雌側部材４５は、棒状の雄側部材４４を内部に挿入可能でかつその雄側部材４４がいったん挿入されると抜け止め状態になるチャック機能を有する筒体よりなり、上位のマンホールブロック２Ｕの下端部に埋設されている。また、雌側部材４５の上端部はブロック２Ｕ内の鉄筋４７に溶接によって固定されている。
【００２７】
他方、雄側部材４４は、下位の各マンホールブロック２Ｌの上端部に埋設されており、その下端部は鋼製プレート４８の中心部に溶接によって固定されている。この鋼製プレート４８は、その上面にブロック２Ｌ内の鉄筋４７を当接させただけの状態で当該ブロック２Ｌの上端部に埋設されている。このため、雄側部材４４は、ブロック２Ｌ内の鉄筋４７に対して、上下方向には移動不能であるが水平方向には移動可能となるように係止されている。
【００２８】
従って、本実施形態の連結装置３では、雄側部材４４がブロック２Ｌ内の鉄筋４７に対して上下方向に移動不能に係止されていることから、マンホール内の圧力上昇に伴う浮力に対しては極めて大きな抵抗力が発揮されるとともに、同雄側部材４４がブロック２Ｌ内の鉄筋４７に対して水平方向に移動可能に接触しているだけであるから、地震等による横揺れに伴う過大な荷重が作用した場合は、雄側部材４４のみがブロック２Ｌ内を水平方向に移動し、これによって衝撃を和らげることができる。
【００２９】
なお、図６に示す第三実施形態において、雄側部材４４と雌側部材４５の上下位置関係を逆転させてもよく、また、雌側部材４５の方を、ブロック２Ｕ内の鉄筋４７に対して、上下方向に移動不能でかつ水平方向に移動可能となるように係止さてもよい。
上記各実施形態はすべて例示であって制限的なものではない。本発明の技術的範囲は特許請求の範囲によって規定され、そこに記載された構成と均等の範囲内のすべての変更も本発明の技術的範囲に含まれる。
【図面の簡単な説明】
【００３０】
【図１】本発明の第一実施形態に係る組み立てマンホールの側面断面図である。
【図２】同組み立てマンホールの接続部分の平面断面図である。
【図３】（ａ）は本発明の第一実施形態に係るマンホールブロックの連結装置の側面図であり、（ｂ）は同連結装置の正面図である。
【図４】マンホールブロックの連結装置の要部拡大図である。
【図５】（ａ）は本発明の第二実施形態に係るマンホールブロックの連結装置の側面図であり、（ｂ）は同連結装置の正面図である。
【図６】本発明の第三実施形態に係るマンホールブロックの連結装置の側面断面図である。
【符号の説明】
【００３１】
１      組み立てマンホール
２      マンホールブロック
２Ｕ    上位のマンホールブロック
２Ｌ    下位のマンホールブロック
３      連結装置
４      マンホール受け枠
５      マンホール蓋
１１      上ブラケット
１２      下ブラケット
１３      連結部材
１５      突出板
２０      連結フレーム
２１      上枠部
２２      圧縮ゴム
２３      上締結部材
２４      下枠部
２５      圧縮ゴム
２６      下締結部材
３６      連結支柱
３７      上締結部材
３８      下締結部材
４４      雄側部材
４５      雌側部材
４６      ワンタッチジョイント
４７      鉄筋
【図１】
2005155054.tif 000003
【図２】
2005155054.tif 000004
【図３】
2005155054.tif 000005
【図４】
2005155054.tif 000006
【図５】
2005155054.tif 000007
【図６】
2005155054.tif 000008